(57)【要約】  【課題】  長手方向の方向性自在（方向性を選ばない）な斬新な構造の衝撃工具を提供する。  【解決手段】  内腔部３の奥壁を被打撃面１６とする筒状主体１と、先端面６ａ´を前記被打撃面１６を接離する打撃面とする嵌挿杆６を内外に互いに嵌合して構成する。そして、前記筒状主体１の前記被打撃面１６側の一端と、前記嵌挿杆６の前記先端面６ａ´に対応する後端のいずれか一方に重り材４を、他方に衝撃作用片１４をそれぞれ着脱自在に取付ける。【選択図】    図１
0003130673.tif 000002
【実用新案登録請求の範囲】
【請求項１】
内腔部の奥壁を被打撃面とする筒状主体と、先端面を前記被打撃面を接離する打撃面とする嵌挿杆を内外に互いに嵌合して構成し、前記筒状主体の前記被打撃面側の一端と、前記嵌挿杆の前記先端面に対応する後端のいずれか一方に重り材を、他方に衝撃作用片をそれぞれ着脱自在に取付けた、衝撃工具。
【考案の詳細な説明】
【技術分野】
【０００１】
本考案は、衝撃作用片の先端形の形態に対応した衝撃を被衝撃体に物理的に作用させることを目的として用いる衝撃工具に関するものである。
【背景技術】
【０００２】
主体杆に該主体杆を貫通させるようにして打撃材を移動自在に組付け、該打撃材が衝接する衝撃作用片を前記主体杆の先端に設け、主体杆に沿わせて打撃材を移動させることによって衝撃作用片に衝接せしめ、衝撃作用片の先端形に従った作用を被衝撃体に与えるようにした構造のものがある（例えば、特許文献１）。
【０００３】
【特許文献１】実用新案登録第３０５１６９９号公報
【考案の開示】
【考案が解決しようとする課題】
【０００４】
前記従来構造のものは、ブロック体である打撃材が外部に露出した状態で手先で支持する主体杆に沿って移動する構造を採るため、打撃材による受圧材、すなわち被衝撃体に対する打撃作業時に充分な空間を確保しないで（目測の誤りにより）打撃材を周辺のものに衝接させるおそれがあり、何よりも手先を利用した打撃材の主体杆に沿う移動操作を必要とするから作業空間を必要とする。
【０００５】
本考案は、従来例の斯様な欠点に着目し、使用勝手の良好な衝撃工具を提供することを目的として創案したものである。
【課題を解決するための手段】
【０００６】
内腔部の奥壁を被打撃面とする筒状主体と、先端面を前記被打撃面を接離する打撃面とする嵌挿杆を内外に互いに嵌合して構成し、前記筒状主体の前記被打撃面側の一端と、前記嵌挿杆の前記先端面に対応する後端のいずれか一方に重り材を、他方に衝撃作用片をそれぞれ着脱自在に取付けた構成とするのである。
【考案の効果】
【０００７】
本考案によれば、筒状主体と該筒状主体に嵌挿した嵌挿杆の一方に重り材を、他方に衝撃作用片を取付け、衝撃作用片を被衝撃体に当て、重り材を面とを互いに衝接させることにより衝撃作用片による被衝撃体に対する衝撃作用を与えることができる。
【０００８】
また、移動させる側の筒状主体又は嵌挿杆を支持するだけで当該衝撃作業を行うことができるから作業空間を必要としないし、また、重り材等の取付け側を選択することにより長手方向の方向性自在な衝撃工具として利用でき、これまでにない斬新な構造の工具を提供できる。
【実施例】
【０００９】
図面は本考案に係る衝撃工具の実施例を示し、図１は一部欠截正面図、図２は各アタッチ材の正面図である。
【００１０】
図中、１は鋼製の筒状主体で、筒状主体１は長手方向の一端側に厚肉部２を設けて内腔部３を前記一端側の短い部分と該一端側に対応する他端側の長い部分とに区画し、筒状主体１の一端側開口の前記短い部分を重り材用の衝撃作用片４を着脱自在に組付ける組付け部５と成し、また、筒状主体１の他端側開口の前記長い部分は、その開口端から嵌挿杆６を嵌挿して組合わせた、嵌挿杆６の嵌挿部７としたものである。
【００１１】
筒状主体１の一端側に設けた前記組付け部５は該組付け部５を構成する奥壁（前記厚肉部２）側の中央に組付け部５（内腔部３）の軸線と直交する位置にして規制杆８を装置してこれに前記衝撃作用片４に設けた溝２７に係合して該作用片４の回動を規制すると共に、基端を筒状主体１に螺合したねじ９で止着して内側に導入配設した板ばね１０を備えて成り、自由端に前記溝２７を備えた円柱状の取付け杆４ｂと半円柱状の作用部片４ａとで成る前記衝撃作用片４の取付け杆４ｂを嵌挿して組付け、該組付け状態を取付け杆４ｂの周側に設けた凹入切欠１２に前記板ばね１０の屈曲部１０ａを係止して維持するようにしてある。
【００１２】
なお、衝撃作用片４は、例えば、図１の２点鎖線で示す、重機のアタッチメントの取付けピン（スライドピン）Ｐを着脱する際に用いるが、後述するように図１では、その重さを利用して前記嵌挿杆６側に取付けた衝撃作用片１４を機能させるようにしてある。
【００１３】
筒状主体１の他端側を開口端とする前記嵌挿部７は、前記厚肉部２で構成する奥壁を被打撃面１６としてこれに前記嵌挿杆６の先端面６ａ´が衝接（相対的に）するようにしてあり、開口端部には抜け止め材１７の筒状本体１７ａを固装し、該筒状本体１７ａを通じて該嵌挿部７に前記嵌挿杆６を嵌挿、組付けてある。
【００１４】
嵌挿杆６は鋼製の丸棒体で成り、先端部をやや小径にして前記被打撃面１６に衝接する（相対的に）、打撃部６ａと成し、該打撃部６ａ側の中間部に抜け止めリング１８を巻回装置して抜け止め材１７の前記本体１７ａの内縁にこれが係止して主体筒１から離脱を防ぐようにすると共に、前記打撃部６ａ側の一端に対応する他の一端にねじ部１９を突設してこれに重り材２０，２１や衝撃作用片１４，２２，２３等のアタッチメントを取付けるようにしてある。
【００１５】
図１は、前記の通り、衝撃作用片４を重り材として適用し、嵌挿杆６の端部のねじ部１９を利用して衝撃作用片１４を取付けて衝撃工具として適用するもので、例えば、岩盤やコンクリート壁等の被衝撃体ｄに衝撃作用片１４の作用部片１４を当接させるようにして主体筒１を嵌挿杆６に案内させつつ後退させ、次いで、嵌挿杆６に案内させつつ原位置に急激に前進させると、筒状主体１に組付けた衝撃作用片４は重りとなってその重量が移動中の筒状主体１に負荷され、筒状主体１側の被打撃面１６が打撃面となって嵌挿杆６側の先端面６ａ´に衝接し、先端面６ａ´において押圧された嵌挿杆６に取付けた衝撃作用片１４の作用部片１４ａは被衝撃体ｄに作用してこれに損傷を与えることになり、この作業の繰り返しにより被衝撃体ｄは所望に変形するのである。
【００１６】
なお、前記重り材２０，２１や衝撃作用片１４，２２，２３は、前記ねじ部１９に螺合するねじ穴２０ｂ´，２１ｂ´，１４ｂ´，２２ｂ´，２３ｂ´を備えた一端側の取付け杆２０ｂ，２１ｂ，１４ｂ，２２ｂ，２３ｂと、他端側の作用部片２０ａ，２１ａ，１４ａ，２２ａ，２３ａとで構成されるが、図示の形態に限定する必要はないし、それなりの重量を備えるようにすれば、主体筒１側に着脱自在に組付けた前記衝撃作用片４と同様にその重量を重り作用として利用しても不都合はない。
【００１７】
主体筒１側に取付けた衝撃作用片４は板ばね１０のばね付勢に抗して筒状主体１すなわち組付け部５より強制的に引っ張って離脱させるものであるが、当該形態に限定する必要もないし、嵌挿杆６側に取付ける前記衝撃作用片４等と同様種々のものを用意しておくと、現場に合わせて作業を行うことができ、嵌挿杆６側のものと形態（機能）の違えるものすれば、通常の倍の種類の作用片（重りを含んだ）を用いることができる。
【００１８】
なお、図示２９は、抜け止め材１７の筒状本体１７ａに螺合した規制材で、不使用時に、該規制材２９の先端を嵌挿杆６に設けた周溝２８に係合することにより、主体筒１とに沿う嵌挿杆６の移動を規制し、持ち運びの際の不都合を防ぐことができる。
【図面の簡単な説明】
【００１９】
【図１】一部欠截正面図。
【図２】各アタッチ材の正面図。
【符号の説明】
【００２０】
１          筒状主体
３          内腔部
６          嵌挿杆
６ａ´      先端面
１４        衝撃作用片
１６        被打撃面
【図１】
0003130673.tif 000003
【図２】
0003130673.tif 000004